(57)【要約】【課題】  面体の装着に掛かる時間が従来に比べて短縮された全面形面体を提供する。【解決手段】  顔面の正面部と両側面部とを覆うアイピースと、アイピースの周縁に一体的に組付けられて顔面の周縁部を覆う柔軟弾性素材の本体部と、アイピースを正面から見て本体部の左右側部の上部と下部とから伸びる腕部と、後頭部に沿って延在しバックルを介して前記左右の上下の腕部に連結された左右の上下の締め紐とを備える呼吸装置の全面形面体であって、前記左右の下の腕部に取り付けられたバックルに前記左右の下の締め紐の端部が折り返して挿通され、前記左右の上の締め紐の端部に取り付けられたバックルに前記左右の上の腕部の端部が折り返して挿通されている。【選択図】  図２
2020058416.tif 000002
【特許請求の範囲】
【請求項１】
顔面の正面部と両側面部とを覆うアイピースと、アイピースの周縁に一体的に組付けられて顔面の周縁部を覆う柔軟弾性素材の本体部と、アイピースを正面から見て本体部の左右側部の上部と下部とから伸びる腕部と、後頭部に沿って延在しバックルを介して前記左右の上下の腕部に連結された左右の上下の締め紐とを備える呼吸装置の全面形面体であって、前記左右の下の腕部に取り付けられたバックルに前記左右の下の締め紐の端部が折り返して挿通され、前記左右の上の締め紐の端部に取り付けられたバックルに前記左右の上の腕部の端部が折り返して挿通されていることを特徴とする呼吸装置の全面形面体。
【請求項２】
本体部の左右側部の下部から伸びる腕部は本体部と一体形成され、本体部の左右側部の上部から伸びる腕部は、本体部と一体形成された第１部分と、第１部分に固定された紐状の第２部分とを有し、第２部分の端部がバックルに挿通されることを特徴とする請求項１に記載の呼吸装置の全面形面体。
【請求項３】
アイピースを正面から見て本体部の上縁部中央左右部から伸びる左右の腕部と、頭頂部に沿って延在しバックルを介して前記左右の腕部に連結された左右の締め紐とを備え、前記左右の腕部に取り付けられたバックルに前記左右の締紐の端部が折り返して挿通されていることを特徴とする請求項１又は２に記載の呼吸装置の全面形面体。
【発明の詳細な説明】
【技術分野】
【０００１】
本発明は、呼吸装置の全面形面体に関するものである。
【背景技術】
【０００２】
顔面の正面部と両側面部とを覆うアイピースと、アイピースの周縁に一体的に組付けられて顔面の周縁部を覆う柔軟弾性素材の本体部と、アイピースを正面から見て本体部の左右側部の上部と下部とから伸びる腕部と、後頭部に沿って延在しバックルを介して前記左右の上下の腕部に連結された左右の上下の締め紐とを備える呼吸装置の全面形面体が特許文献１に開示されている。特許文献１の全面形面体においては、腕部に取り付けられたバックルに折り返して挿通された締め紐の端部を、アイピースから離隔する方向へ引き、締め紐を緊張させて面体を使用者の頭部に装着する。
【先行技術文献】
【特許文献】
【０００３】
【特許文献１】特開２０００−１１６８０５号公報
【発明の概要】
【発明が解決しようとする課題】
【０００４】
特許文献１の全面形面体には、面体を装着する際に、両手を用いて上又は下の左右一対の締め紐端部をアイピースから離隔する方向へ引き、次いで両手を前に戻して下又は上の左右一対の締め紐端部をアイピースから離隔する方向へ引くので、手の動作方向が後方、前方、後方となり、手の動作線が長くなって、装着に時間が掛かるという問題がある。
本発明は、顔面の正面部と両側面部とを覆うアイピースと、アイピースの周縁に一体的に組付けられて顔面の周縁部を覆う柔軟弾性素材の本体部と、アイピースを正面から見て本体部の左右側部の上部と下部とから伸びる腕部と、後頭部に沿って延在しバックルを介して前記左右の上下の腕部に連結された左右の上下の締め紐とを備える呼吸装置の全面形面体であって、面体の装着に掛かる時間が従来に比べて短縮された全面形面体を提供することを目的とする。
【課題を解決するための手段】
【０００５】
上記課題を解決するために、本発明においては、顔面の正面部と両側面部とを覆うアイピースと、アイピースの周縁に一体的に組付けられて顔面の周縁部を覆う柔軟弾性素材の本体部と、アイピースを正面から見て本体部の左右側部の上部と下部とから伸びる腕部と、後頭部に沿って延在しバックルを介して前記左右の上下の腕部に連結された左右の上下の締め紐とを備える呼吸装置の全面形面体であって、前記左右の下の腕部に取り付けられたバックルに前記左右の下の締め紐の端部が折り返して挿通され、前記左右の上の締め紐の端部に取り付けられたバックルに前記左右の上の腕部の端部が折り返して挿通されていることを特徴とする呼吸装置の全面形面体を提供する。
上記構成によれば、左右の下のバックルに折り返して挿通された左右の下の締め紐の端部をアイピースから離隔する方向へ引き、次いで左右の上のバックルに折り返して挿通された左右の上の腕部の端部をアイピースへ接近する方向へ引いて、締め紐を緊張させて面体を使用者の頭部に装着するので、手の動作方向が後方、前方となり、或いは、左右の上のバックルに折り返して挿通された左右の上の腕部の端部をアイピースへ接近する方向へ引き、次いで左右の下のバックルに折り返して挿通された左右の下の締め紐の端部をアイピースから離隔する方向へ引いて、締め紐を緊張させて面体を使用者の頭部に装着するので、手の動作方向が前方、後方となり、手の動作線が従来に比べて短縮される。この結果、面体の装着に掛かる時間が従来に比べて短縮される。
本発明の好ましい態様においては、本体部の左右側部の下部から伸びる腕部は本体部と一体形成され、本体部の左右側部の上部から伸びる腕部は、本体部と一体形成された第１部分と、第１部分に固定された紐状の第２部分とを有し、第２部分の端部がバックルに挿通される。
上記構成によれば、腕部を含む本体部の構造を従来技術から変更することなく、本体部の左右側部の上部から伸びる腕部に紐状の第２部分を固定することで、上の締め紐の緊張動作時の手の動作方向を前向きにすることができる。
本発明の好ましい態様においては、全面形面体はアイピースを正面から見て本体部の上縁部中央左右部から伸びる左右の腕部と、頭頂部に沿って延在しバックルを介して前記左右の腕部に連結された左右の締め紐とを備え、前記左右の腕部に取り付けられたバックルに前記左右の締紐の端部が折り返して挿通されている。
全面形面体は、アイピースを正面から見て本体部の上縁部中央左右部から伸びる左右の腕部と、頭頂部に沿って延在し前記左右の腕部に連結された左右の締め紐を備えているが、前記頭頂部の左右の締め紐がバックルを介して前記上縁部中央左右部の腕部に連結されている場合は、前記左右の腕部に取り付けられたバックルに前記左右の締紐の端部を折り返して挿通し、全面形面体の装着時に頭頂部の締紐をアイピースから遠ざかる方向に引くように構成するのが望ましい。面体装着時の手の動きが、下から順に、或いは上から順に、後方、前方、後方となり、手の動作線が短縮されて面体装着に要する時間が短縮される。
【図面の簡単な説明】
【０００６】
【図１】従来の全面形面体の外観図である。（ａ）は右側面図であり、（ｂ）は（ａ）のｂ−ｂ矢視図である。
【図２】本発明の実施例に係る全面形面体の外観図である。（ａ）は右側面図であり、（ｂ）は（ａ）のｂ−ｂ矢視図である。右側面図である。
【発明を実施するための形態】
【０００７】
従来の全面形面体を説明し、次いで本発明の実施例に係る呼吸装置の全面形面体を説明する。
図１に示すように、従来の呼吸装置の全面形面体１は、使用者の顔面の正面部と両側面部とを覆う透明硬質プラスチック素材のアイピース２と、アイピース２の周縁に一体的に組付けられて使用者の顔面の周縁部を覆う柔軟弾性素材の本体部３と、アイピース２を正面から見て本体部３の右側部の上部と下部とに一体形成されて本体部３から伸びる腕部４ａ、４ｂと、本体部３の上縁部中央右部に一体形成されて本体部３から伸びる腕部４ｃと、腕部４ａ、４ｂ、４ｃとは左右対称に配設され本体部３の左側部と上縁部中央左部に一体形成されて本体部３から伸びる３つの腕部と、腕部４ａ、４ｂ、４ｃに対峙する締め紐５ａ、５ｂ、５ｃと、締め紐５ａ、５ｂ、５ｃとは左右対称に配設された３本の締め紐とを備えている。６本の締め紐は、端部が本体部の腕部に対峙し、基部が互いに融合して、全体として六芒星形状を形成している。
締め紐５ａと左右対称に配設された締め紐とは基部の融合部も含めて、使用者の後頭部に沿って延在し、締め紐５ｂと左右対称に配設された締め紐とは基部の融合部も含めて、使用者の後頭部に沿って延在する。締め紐５ｃと左右対称に配設された締め紐とは使用者の頭頂部に沿って延在する。
腕部４ａにバックル６ａが取り付けられており、締め紐５ａの端部がバックル６ａに折り返して挿通されている。腕部４ａとは左右対称の腕部にもバックルが取り付けられており、締め紐５ａとは左右対称の締め紐の端部が前記バックルに折り返して挿通されている。
腕部４ｂにバックル６ｂが取り付けられており、締め紐５ｂの端部がバックル６ｂに折り返して挿通されている。腕部４ｂとは左右対称の腕部にもバックルが取り付けられており、締め紐５ｂとは左右対称の締め紐の端部が前記バックルに折り返して挿通されている。
腕部４ｃと締め紐５ｃとは連結金具７を介して連結されており、腕部４ｃとは左右対称の腕部と締め紐５ｃとは左右対称の締め紐も連結金具を介して連結されている。
全面形面体１を使用者の頭部に装着する際には、アイピース２と、本体部３と、腕部と締め紐とで形成された略球状の空間に、下方から使用者の頭部を挿入して、頭頂部を締め紐５ｃと左右対称の締め紐とに当接させ、顔面をアイピース２に対峙させる。
次いで、締め紐５ｂの端部と、締め紐５ｂとは左右対称の締め紐の端部とを両手で持って、後頭部方向へ、すなわちアイピース２から離隔する方向へ引き、次に、両手を前に戻して、紐部５ａの端部と、紐部５ａとは左右対称の紐部の端部とを両手で持って、後頭部方向へ、すなわちアイピース２から離隔する方向へ引く。これにより、締め紐５ｃと左右対称の締め紐とを除く４本の締め紐が緊張して、全面形面体１が使用者の頭部に装着される。
全面形面体１においては、締め紐を緊張させて面体を使用者の頭部に装着する際の、手の動作方向が、後方、前方、後方となるので、手の動作線が長く、装着に時間が掛かる。
【０００８】
図２に示すように、本発明の実施例に係る呼吸装置の全面形面体１１は、使用者の顔面の正面部と両側面部とを覆う透明硬質プラスチック素材のアイピース１２と、アイピース１２の周縁に一体的に組付けられて使用者の顔面の周縁部を覆う柔軟弾性素材の本体部１３と、アイピース１２を正面から見て本体部１３の右側部の上部と下部とに一体形成されて本体部１３から伸びる腕部１４ａ、１４ｂと、本体部１３の上縁部中央右部に一体形成されて本体部１３から伸びる腕部１４ｃと、腕部１４ａ、１４ｂ、１４ｃとは左右対称に配設され本体部１３の左側部と上縁部中央左部に一体形成されて本体部１３から伸びる３つの腕部と、腕部１４ａ、１４ｂ、１４ｃに対峙する締め紐１５ａ、１５ｂ、１５ｃと、締め紐１５ａ、１５ｂ、１５ｃとは左右対称に配設された３本の締め紐とを備えている。６本の締め紐は、端部が本体部の腕部に対峙し、基部が互いに融合して、全体として六芒星形状を形成している。
締め紐１５ａと左右対称に配設された締め紐とは基部の融合部も含めて、使用者の後頭部に沿って延在し、締め紐１５ｂと左右対称に配設された締め紐とは基部の融合部も含めて、使用者の後頭部に沿って延在する。締め紐１５ｃと左右対称に配設された締め紐とは、使用者の頭頂部に沿って延在する。
締め紐１５ａの端部にバックル１６ａが取り付けられている。腕部１４ａに紐状部材１４ａ’が固定され、両者が協働して単一の腕部を形成している。腕部１４ａが前記単一の腕部の第１部分を形成し、紐状部材１４ａ’が前記単一の腕部の第２部分を形成している。紐状部材１４ａ’の端部がバックル１６ａに折り返して挿通されている。
締め紐１５ａとは左右対称の締め紐の端部にもバックルが取り付けられている。腕部１４ａとは左右対称の腕部にも紐状部材が固定され、両者が協働して単一の腕部を形成している。前記紐状部材の端部がバックルに折り返して挿通されている。
腕部１４ｂにバックル１６ｂが取り付けられており、締め紐１５ｂの端部がバックル１６ｂに折り返して挿通されている。腕部１４ｂとは左右対称の腕部にもバックルが取り付けられており、締め紐１５ｂとは左右対称の締め紐の端部が前記バックルに折り返して挿通されている。
腕部１４ｃと締め紐１５ｃとは連結金具１７を介して連結されており、腕部１４ｃとは左右対称の腕部と締め紐１５ｃとは左右対称の締め紐も連結金具を介して連結されている。
腕部１４ａと締め紐１５ａの連結部及び、腕部１４ａとは左右対称の腕部と締め紐１５ａとは左右対称の締め紐の連結部の構造を除いて、全面形面体１１の構造は全面形面体１の構造と同一である。
全面形面体１１を使用者の頭部に装着する際には、アイピース１２と、本体部１３と、腕部と締め紐とで形成された略球状の空間に、下方から使用者の頭部を挿入して、頭頂部を締め紐１５ｃと左右対称の締め紐とに当接させ、顔面をアイピース１２に対峙させる。
次いで、締め紐１５ｂの端部と、締め紐１５ｂとは左右対称の締め紐の端部とを両手で持って、後頭部方向へ、すなわちアイピース１２から離隔する方向へ引き、続いて、紐状部材１４ａ’の端部と、紐状部材１４ａ’とは左右対称の紐状部材の端部とを両手で持って、顔面方向へ、すなわちアイピース１２に接近する方向へ引く。これにより、締め紐１５ｃと左右対称の締め紐とを除く４本の締め紐が緊張して、全面形面体１１が使用者の頭部に装着される。
全面形面体１１においては、締め紐を緊張させて面体を使用者の頭部に装着する際の、手の動作方向が、先ず後方、続いて前方となるので、手の動作線が従来に比べて短縮され、面体の装着に掛かる時間が従来に比べて短縮される。
紐状部材１４ａ’の端部と、紐状部材１４ａ’とは左右対称の紐状部材の端部とを両手で持って、顔面方向へ、すなわちアイピース１２に接近する方向へ引き、続いて、締め紐１５ｂの端部と、締め紐１５ｂとは左右対称の締め紐の端部とを両手で持って、後頭部方向へ、すなわちアイピース１２から離隔する方向へ引いても良い。この場合は、手の動作方向が、先ず前方、続いて後方となるので、手の動作線が従来に比べて短縮され、面体の装着に掛かる時間が従来に比べて短縮される。
全面形面体１１においては、本体部１３の右側部の上部から伸びる腕部は、本体部１３と一体形成された第１部分１４ａと、第１部分１４ａに固定された紐状の第２部分１４ａ’とを有し、第２部分１４ａ’がバックル１６ａに挿通されている。本体部１３の左側部の上部から伸びる腕部に付いても同様である。係る構造によれば、図１と図２の比較から分かるように、腕部１４ａ及び腕部１４ａとは左右対称の腕部を含む本体部１３の構造を従来技術から変更することなく、本体部１３の左右側部の上部から伸びる腕部１４ａ及び左右対称の腕部に、紐状部材１４ａ’及び左右対称の紐状部材を固定することで、上部締め紐の緊張動作時の手の動作方向を前向きにすることができる。
上記実施例では腕部１４ａに紐状部材１４ａ’を固定し、腕部１４ａとは左右対称の腕部に紐状部材を固定したが、腕部１４ａと紐状部材１４ａ’とを本体部１３と一体形成し、腕部１４ａとは左右対称の腕部と紐状部材とを本体部１３と一体形成しても良い。
上記実施例では、頭頂部の腕部１４ｃ及び左右対称の腕部と頭頂部の締め紐１５ｃ及び左右対称の締め紐とを連結金具を介して連結したが、バックルを介して両者を連結しても良い。この場合には、頭頂部の腕部１４ｃ及び左右対称の腕部に取り付けられたバックルに、頭頂部の締め紐１５ｃ及び左右対称の締め紐の端部を折り返して挿通し、全面形面体１１の装着時に頭頂部の締紐をアイピース１２から遠ざかる方向に引くように構成するのが望ましい。面体装着時の手の動きが、下から順に、或いは上から順に、後方、前方、後方となり、手の動作線が短縮されて面体装着に要する時間が短縮される。
【産業上の利用可能性】
【０００９】
本発明は、顔面の正面部と両側面部とを覆うアイピースと、アイピースの周縁に一体的に組付けられて顔面の周縁部を覆う柔軟弾性素材の本体部と、アイピースを正面から見て本体部の左右側部の上部と下部とから伸びる腕部と、後頭部に沿って延在しバックルを介して前記左右の上下の腕部に連結された左右の上下の締め紐とを備える呼吸装置の全面形面体に広く利用可能である。
【符号の説明】
【００１０】
１、１１  全面形面体
２、１２  アイピース
３、１３  本体部
４ａ、４ｂ、４ｃ、１４ａ、１４ｂ、１４ｃ  腕部
５ａ、５ｂ、５ｃ、１５ａ、１５ｂ、１５ｃ  締め紐
６ａ、６ｂ、１６ａ、１６ｂ  バックル
１４ａ’  紐状部材
７、１７  連結金具
【図１】
2020058416.tif 000003
【図２】
2020058416.tif 000004